(57)【要約】      （修正有）【課題】部品点数を低減し、コストの増加及び装置の大型化を抑制することができる硬貨入金機を提供する。【解決手段】入金口２１に投入された硬貨のうち受け入れ可能な硬貨を各金種及び特定種の硬貨に分類して振り分ける振分部５１と、振分部５１で振り分けられた硬貨を一時貯留する一時貯留部５２と、一時貯留部５２で一時貯留している硬貨を返却可能に収納する返却部１３と、一時貯留部５２で一時貯留している硬貨を収納する収納部とを有し、金種別の設定枚数が入力されると、振分部５１は、識別部３５の識別結果に基づいて、入金口２１に投入された硬貨のうち前記金種別の設定枚数の硬貨を、前記金種別の設定枚数を超える硬貨と分類して一時貯留部５２に貯留させ、一時貯留部５２は、一時貯留している硬貨を分類状態のまま収納部又は返却部１３に収納させる。【選択図】図３
2018106273.tif 000002
【特許請求の範囲】
【請求項１】
入金口に投入された硬貨を識別する識別部と、
前記識別部の識別結果に基づいて、受け入れ可能な硬貨を各金種及び特定種の硬貨に分類して振り分ける振分部と、
前記振分部で振り分けられた硬貨を一時貯留する一時貯留部と、
前記一時貯留部で一時貯留している硬貨を返却可能に収納する返却部と、
前記一時貯留部で一時貯留している硬貨を収納する収納部とを有する硬貨入金機であって、
金種別の設定枚数が入力されると、前記振分部は、前記識別部の識別結果に基づいて、前記入金口に投入された硬貨のうち前記金種別の設定枚数の硬貨を、前記金種別の設定枚数を超える硬貨と分類して前記一時貯留部に貯留させ、
前記一時貯留部は、一時貯留している硬貨を分類状態のまま前記収納部又は前記返却部に収納させることを特徴とする硬貨入金機。
【請求項２】
金種別の設定枚数が入力されると、前記振分部は、前記識別部の識別結果に基づいて、前記入金口に投入された硬貨のうち前記金種別の設定枚数の硬貨を前記金種別の設定枚数を超える硬貨と分類すると共に、前記金種別の設定枚数の硬貨を各金種に分類して前記一時貯留部に貯留させることを特徴とする請求項１記載の硬貨入金機。
【請求項３】
前記一時貯留部は、前記金種別の設定枚数を超える硬貨を、通常モードにおいては汚損硬貨が収納される前記収納部の収納箱又は前記返却部の返却区分部に収納させることを特徴とする請求項１又は２記載の硬貨入金機。
【請求項４】
金種別の設定枚数が入力されると、前記振分部は、前記識別部の識別結果に基づいて、前記入金口に投入された硬貨のうち前記金種別の設定枚数の硬貨を前記金種別の設定枚数を超える硬貨と分類すると共に、前記金種別の設定枚数を超える硬貨を各金種に分類して前記一時貯留部に貯留させることを特徴とする請求項１記載の硬貨入金機。
【請求項５】
前記一時貯留部は、前記金種別の設定枚数の硬貨を、通常モードにおいては汚損硬貨が収納される前記収納部の収納箱又は前記返却部の返却区分部に収納させることを特徴とする請求項１又は４記載の硬貨入金機。
【請求項６】
金種別の設定枚数が複数組み入力されると、前記振分部は、前記識別部の識別結果に基づいて、前記入金口に投入された硬貨のうち前記複数組みの金種別の設定枚数の硬貨を各組み別に分類すると共に前記複数組みの金種別の設定枚数を超える硬貨を分類して前記一時貯留部に貯留させることを特徴とする請求項１記載の硬貨入金機。
【発明の詳細な説明】
【技術分野】
【０００１】
本発明は、硬貨の入金を行う硬貨入金機に関する。
【背景技術】
【０００２】
従来、テナント等の売上金を入金可能な硬貨入金機が知られている。このような硬貨入金機にあっては、売上金の入金処理に加え、適正な釣銭準備金を用意することが可能で、釣銭準備金の準備のための負担を軽減可能にしたものがある（例えば、特許文献１参照）。
【先行技術文献】
【特許文献】
【０００３】
【特許文献１】特開２００８−１９１８６１号公報
【発明の概要】
【発明が解決しようとする課題】
【０００４】
上述した硬貨入金機は、釣銭準備金を準備するための専用の機構を備えていることで、部品点数が多くコストが増加してしまうと共に装置が大型化して広い設置スペースが必要となるため、小規模なスーパー等の店舗にとっては大きな負担になってしまう。
【０００５】
本発明は、このような事情を鑑みてなされたものであり、部品点数を低減し、コストの増加及び装置の大型化を抑制することができる硬貨入金機を提供する。
【課題を解決するための手段】
【０００６】
上記目的を達成するために、本発明に係る第１の態様は、入金口に投入された硬貨を識別する識別部と、前記識別部の識別結果に基づいて、受け入れ可能な硬貨を各金種及び特定種の硬貨に分類して振り分ける振分部と、前記振分部で振り分けられた硬貨を一時貯留する一時貯留部と、前記一時貯留部で一時貯留している硬貨を返却可能に収納する返却部と、前記一時貯留部で一時貯留している硬貨を収納する収納部とを有する硬貨入金機であって、金種別の設定枚数が入力されると、前記振分部は、前記識別部の識別結果に基づいて、前記入金口に投入された硬貨のうち前記金種別の設定枚数の硬貨を、前記金種別の設定枚数を超える硬貨と分類して前記一時貯留部に貯留させ、前記一時貯留部は、一時貯留している硬貨を分類状態のまま前記収納部又は前記返却部に収納させることを特徴とする。
【０００７】
上記第１の態様によれば、振分部が、識別部の識別結果に基づいて、入金口に投入された硬貨のうち、受け入れ可能な硬貨を各金種及び特定種の硬貨に分類して振り分けると、一時貯留部が振分部で振り分けられた硬貨を一時貯留する。そして、受け入れた硬貨を収納する際には、一時貯留部で一時貯留している硬貨を収納部に収納する。このようにして、投入された硬貨を識別して収納する。一方、釣銭準備金を作成する際には、金種別の設定枚数が入力されると、振分部は、識別部の識別結果に基づいて、入金口に投入された硬貨のうち前記金種別の設定枚数の硬貨を、前記金種別の設定枚数を超える硬貨と分類して一時貯留部に貯留させ、一時貯留部は、一時貯留している硬貨を分類状態のまま収納部又は返却部に収納させる。これにより、入力された前記金種別の設定枚数の硬貨を、前記金種別の設定枚数を超える硬貨と分離して、収納部又は返却部に収納させることができ、前記金種別の設定枚数の硬貨を取り出して釣銭準備金とすることができる。このように、収納部又は返却部を有効利用して、釣銭準備専用の機構を設けること無しに、釣銭準備金を作成することができる。従って、釣銭準備専用の機構を設けた場合と比較して、部品点数を低減し、コストの増加及び装置の大型化を抑制することができ、釣銭準備金の準備のための負担を低減することができる。
【０００８】
本発明に係る第２の態様は、上記第１の態様において、金種別の設定枚数が入力されると、前記振分部は、前記識別部の識別結果に基づいて、前記入金口に投入された硬貨のうち前記金種別の設定枚数の硬貨を前記金種別の設定枚数を超える硬貨と分類すると共に、前記金種別の設定枚数の硬貨を各金種に分類して前記一時貯留部に貯留させることを特徴とする。
【０００９】
上記第２の態様によれば、釣銭準備金を作成する際に、金種別の設定枚数が入力されると、振分部は、識別部の識別結果に基づいて、入金口に投入された硬貨のうち前記金種別の設定枚数の硬貨を前記金種別の設定枚数を超える硬貨と分類すると共に、前記金種別の設定枚数の硬貨を各金種に分類して一時貯留部に貯留させる。これにより、入力された金種別の設定枚数の硬貨を各金種に分類することができる。
【００１０】
本発明に係る第３の態様は、上記第１又は第２の態様において、前記一時貯留部は、前記金種別の設定枚数を超える硬貨を、通常モードにおいては汚損硬貨が収納される前記収納部の収納箱又は前記返却部の返却区分部に収納させることを特徴とする。
【００１１】
上記第３の態様によれば、一時貯留部は、金種別の設定枚数を超える硬貨を、通常モードにおいては汚損硬貨が収納される収納部の収納箱又は返却部の返却区分部に収納させるため、通常モードにおいて汚損硬貨が収納される収納部の収納箱又は返却部の返却区分部を有効利用することができる。
【００１２】
本発明に係る第４の態様は、上記第１の態様において、金種別の設定枚数が入力されると、前記振分部は、前記識別部の識別結果に基づいて、前記入金口に投入された硬貨のうち前記金種別の設定枚数の硬貨を前記金種別の設定枚数を超える硬貨と分類すると共に、前記金種別の設定枚数を超える硬貨を各金種に分類して前記一時貯留部に貯留させることを特徴とする。
【００１３】
上記第４の態様によれば、釣銭準備金を作成する際に、金種別の設定枚数が入力されると、振分部は、識別部の識別結果に基づいて、入金口に投入された硬貨のうち前記金種別の設定枚数の硬貨を前記金種別の設定枚数を超える硬貨と分類すると共に、前記金種別の設定枚数を超える硬貨を各金種に分類して一時貯留部に貯留させる。これにより、入力された金種別の設定枚数を超える硬貨を各金種に分類することができる。
【００１４】
本発明に係る第５の態様は、上記第１又は第４の態様において、前記一時貯留部は、前記金種別の設定枚数の硬貨を、通常モードにおいては汚損硬貨が収納される前記収納部の収納箱又は前記返却部の返却区分部に収納させることを特徴とする。
【００１５】
上記第５の態様によれば、一時貯留部は、金種別の設定枚数の硬貨を、通常モードにおいては汚損硬貨が収納される収納部の収納箱又は返却部の返却区分部に収納させるため、、通常モードにおいて汚損硬貨が収納される収納部の収納箱又は返却部の返却区分部を有効利用することができる。
【００１６】
本発明に係る第６の態様は、上記第１の態様において、金種別の設定枚数が複数組み入力されると、前記振分部は、前記識別部の識別結果に基づいて、前記入金口に投入された硬貨のうち前記複数組みの金種別の設定枚数の硬貨を各組み別に分類すると共に前記複数組みの金種別の設定枚数を超える硬貨を分類して前記一時貯留部に貯留させることを特徴とする。
【００１７】
上記第６の態様によれば、釣銭準備金を作成する際に、金種別の設定枚数が複数組み入力されると、振分部は、識別部の識別結果に基づいて、入金口に投入された硬貨のうち前記複数組みの金種別の設定枚数の硬貨を各組み別に分類すると共に前記複数組みの金種別の設定枚数を超える硬貨を分類して前記一時貯留部に貯留させる。これにより、入力された複数組みの硬貨を各組み別に分類することができる。
【発明の効果】
【００１８】
本発明によれば、部品点数を低減し、コストの増加及び装置の大型化を抑制することができる硬貨入金機を提供することができる。
【図面の簡単な説明】
【００１９】
【図１】本発明の第１実施形態に係る硬貨入金機を示す斜視図である。
【図２】本発明の第１実施形態に係る硬貨入金機を概略的に示す側面図である。
【図３】本発明の第１実施形態に係る硬貨入金機を概略的に示す図である。
【図４】本発明の第１実施形態に係る硬貨入金機のリジェクト案内部を示す平面図である。
【図５】本発明の第１実施形態に係る硬貨入金機を概略的に示す部分正面図である。
【図６】本発明の第１実施形態に係る硬貨入金機を概略的に示す部分正面図である。
【図７】本発明の第１実施形態に係る硬貨入金機を概略的に示す部分側面図である。
【図８】本発明の第１実施形態に係る硬貨入金機を示す斜視図である。
【図９】本発明の第１実施形態に係る硬貨入金機を概略的に示す部分正面図である。
【発明を実施するための形態】
【００２０】
＜第１実施形態＞
本発明の第１実施形態に係る硬貨入金機を図面を参照して以下に説明する。以下の説明における「前」は硬貨入金機の操作者側、「後」は硬貨入金機の操作者とは反対側、「左」は硬貨入金機の操作者から見て左、「右」は硬貨入金機の操作者から見て右である。
【００２１】
図１に示す第１実施形態に係る硬貨入金機１０は、主にバラの硬貨の入金処理を行うものである。硬貨入金機１０は、入金機本体１１と、何れも入金機本体１１から前方に引き出し可能なリジェクト箱１２、返却箱１３（返却部）及び収納部１４とを有している。
【００２２】
入金機本体１１は、その上面に設けられて外部から硬貨が金種混合で投入される入金口２１と、上面の入金口２１よりも右側に設けられて操作入力が行われると共に表示を行う表示入力部２２と、上面の表示入力部２２よりも前側に設けられて操作入力が行われる操作ボタン２３と、上面の入金口２１よりも後方に設けられて主電源のオン及びオフ操作が行われる電源スイッチ２４と、図示略のキーで収納部１４の入金機本体１１へのロックを解除する収納部鍵２５と、図２に示す制御部２７とを有している。図１に示す表示入力部２２と操作ボタン２３とが、操作入力が行われると共に表示を行う操作表示部２８を構成している。
【００２３】
硬貨入金機１０は、図２，図３に示すように、入金口２１に投入された硬貨を受け入れる供給円盤３１と、回転する供給円盤３１から送り出される硬貨を受け入れる回転円盤３２と、回転する回転円盤３２から硬貨を一枚ずつ分離して繰り出す分離繰出部３３と、分離繰出部３３で繰り出された硬貨を搬送する搬送部３４と、入金口２１に投入され搬送部３４で搬送中の硬貨の真偽、金種及び正損を識別して計数する識別部３５と、識別部３５の識別結果に基づき識別部３５で偽つまり受け入れ不可と識別された偽硬貨を搬送部３４から落下案内するリジェクト案内部４０とを有している。
【００２４】
リジェクト案内部４０は、図４に示すように、搬送部３４の硬貨を案内するガイド壁４１に対し突出及び退避可能であって、図４（ｂ）に示すように突出することで、ガイド壁４１で案内されて移動する硬貨Ｃをガイド壁４１から離す突出部４２と、突出部４２でガイド壁４１から離された硬貨Ｃを落下させるリジェクト孔４３と、ガイド壁４１に案内されて移動する硬貨を検知しこの硬貨に対して突出部４２をガイド壁４１から突出させるタイミングを計るタイミングセンサ４４とを有している。突出部４２が図４（ａ）に示すように退避状態にあるとき、ガイド壁４１で案内されて移動する硬貨Ｃをリジェクト孔４３が落下させることはない。これにより、リジェクト案内部４０は、搬送部３４で搬送中の硬貨Ｃの中から選択したものを落下可能となっている。
【００２５】
リジェクト案内部４０で搬送部３４から案内された硬貨は、図１〜図３に示すリジェクト箱１２に収納される。リジェクト箱１２は、図１に示すように入金機本体１１に対し押し込まれた装填状態で、図２〜図４に示すリジェクト案内部４０で案内された硬貨を収納し、入金機本体１１から取り外されることで、収納した硬貨Ｃが外部に取り出し可能となる。
【００２６】
硬貨入金機１０は、図２，図３に示すように、識別部３５の識別結果に基づき識別部３５で受け入れ可能と識別された真硬貨を振り分けて搬送部３４から落下案内する振分部５１と、振分部５１で搬送部３４から案内された硬貨を一時貯留する一時貯留部５２とを有している。一時貯留部５２は、図３に示すように、汚損硬貨（特定種の硬貨）を金種混合で貯留する特定種硬貨用の貯留区分部５２ａと、単一金種の硬貨を貯留する金種別の貯留区分部５２ｂ〜５２ｇとを有している。
【００２７】
振分部５１は、搬送部３４の前後方向に沿う直線状の部分に設けられており、最も識別部３５側に、全金種の汚損硬貨を搬送部３４から落下させて一時貯留部５２に案内する汚損硬貨案内部５１ａが、その識別部３５とは反対側に、常時開の選別孔式であって汚損のない正常硬貨を小径のものから順に搬送部３４から落下させて一時貯留部５２に案内する金種別の単金種案内部５１ｂ〜５１ｇが、それぞれ設けられている。
【００２８】
汚損硬貨案内部５１ａは、リジェクト案内部４０と同様の構造であり、搬送部３４の硬貨を案内するガイド壁６１に対し突出及び退避可能であって、突出することで、ガイド壁６１で案内されて移動する硬貨をガイド壁６１から離す突出部６２と、突出部６２でガイド壁６１から離された硬貨を落下させる汚損硬貨落下孔６３ａと、ガイド壁６１に案内されて移動する硬貨を検知しこの硬貨に対して突出部６２をガイド壁６１から突出させるタイミングを計るタイミングセンサ６４ａとを有している。突出部６２が退避状態にあるとき、ガイド壁６１で案内されて移動する硬貨を汚損硬貨落下孔６３ａが落下させることはない。これにより、汚損硬貨案内部５１ａは、搬送部３４で搬送中の硬貨の中から選択したものを落下可能となっている。
【００２９】
単金種案内部５１ｂは、搬送部３４のガイド壁６１で案内されて移動する１円の正常硬貨を搬送部３４から落下させると共に５０円、５円、１００円、１０円及び５００円の各正常硬貨を搬送部３４から落下させずに通過させる選別孔５５ｂと、搬送部３４で搬送される硬貨を選別孔５５ｂの直前位置で検知する計数センサ５６ｂとを有している。単金種案内部５１ｃは、ガイド壁６１で案内されて移動する５０円の正常硬貨を搬送部３４から落下させると共に５円、１００円、１０円及び５００円の各正常硬貨を搬送部３４から落下させずに通過させる選別孔５５ｃと、搬送部３４で搬送される硬貨を選別孔５５ｂ，５５ｃ間で検知する計数センサ５６ｃとを有している。単金種案内部５１ｄは、ガイド壁６１で案内されて移動する５円の正常硬貨を搬送部３４から落下させると共に１００円、１０円及び５００円の各正常硬貨を搬送部３４から落下させずに通過させる選別孔５５ｄと、搬送部３４で搬送される硬貨を選別孔５５ｃ，５５ｄ間で検知する計数センサ５６ｄとを有している。単金種案内部５１ｅは、ガイド壁６１で案内されて移動する１００円の正常硬貨を搬送部３４から落下させると共に１０円及び５００円の各正常硬貨を搬送部３４から落下させずに通過させる選別孔５５ｅと、搬送部３４で搬送される硬貨を選別孔５５ｄ，５５ｅ間で検知する計数センサ５６ｅとを有している。単金種案内部５１ｆは、ガイド壁６１で案内されて移動する１０円の正常硬貨を搬送部３４から落下させると共に５００円の正常硬貨を搬送部３４から落下させずに通過させる選別孔５５ｆと、搬送部３４で搬送される硬貨を選別孔５５ｅ，５５ｆ間で検知する計数センサ５６ｆとを有している。単金種案内部５１ｇは、ガイド壁６１で案内されて移動する５００円の正常硬貨を搬送部３４から落下させる選別孔５５ｇと、搬送部３４で搬送される硬貨を選別孔５５ｆ，５５ｇ間で検知する計数センサ５６ｇとを有している。計数センサ５６ｂ〜５６ｇは、選別孔５５ｂ〜５５ｇで落下する硬貨を計数する。
【００３０】
このように振分部５１は、識別部３５の識別結果に基づいて、受け入れ可能な真硬貨を各金種及び特定種の硬貨（汚損硬貨）に分類して振り分ける。
【００３１】
振分部５１の上記の振り分けの順番に合わせて、一時貯留部５２は、汚損硬貨案内部５１ａで案内されて汚損硬貨落下孔６３ａから落下する汚損硬貨を貯留する貯留区分部５２ａ、単金種案内部５１ｂで案内されて選別孔５５ｂから落下する１円の正常硬貨を貯留する貯留区分部５２ｂ、単金種案内部５１ｃで案内されて選別孔５５ｃから落下する５０円の正常硬貨を貯留する貯留区分部５２ｃ、単金種案内部５１ｄで案内されて選別孔５５ｄから落下する５円の正常硬貨を貯留する貯留区分部５２ｄ、単金種案内部５１ｅで案内されて選別孔５５ｅから落下する１００円の正常硬貨を貯留する貯留区分部５２ｅ、単金種案内部５１ｆで案内されて選別孔５５ｆから落下する１０円の正常硬貨を貯留する貯留区分部５２ｆ、単金種案内部５１ｇで案内されて選別孔５５ｇから落下する５００円の正常硬貨を貯留する貯留区分部５２ｇが、前側から後側に向けて、この順に直線状に並べられている。このように一時貯留部５２は、振分部５１で各金種及び特定種の硬貨（汚損硬貨）に分類して振り分けられた硬貨をこの分類のまま一時貯留する。一時貯留部５２は、金種別に分類して貯留する硬貨の金種数である６つよりも１つ多い７つの貯留区分部を有している。
【００３２】
一時貯留部５２は、貯留区分部５２ａ〜５２ｇの側壁部分を形成する一体の一時貯留部本体７１と、貯留区分部５２ａ〜５２ｇの底部分を形成する底板７２と、一時貯留部本体７１を水平移動させる図５に示す本体駆動部７３と、底板７２を水平移動させる底板駆動部７４とを有している。一時貯留部５２は、図３に示す振分部５１の鉛直下方が基本位置であり、図５に示すように、この基本位置に一時貯留部本体７１及び底板７２が位置する状態で、図３に示す振分部５１で案内された硬貨を貯留区分部５２ａ〜５２ｇに分類して受け入れて貯留する。つまり、一時貯留部５２は、入金口２１に入金された正常硬貨を、金種別の貯留区分部５２ｂ〜５２ｇに金種別に分けて貯留すると共に、汚損硬貨を貯留区分部５２ａに貯留する。
【００３３】
硬貨入金機１０は、一時貯留部５２が貯留区分部５２ａ〜５２ｇに分類して貯留している硬貨を収納する図５〜図９に示す収納部１４を有している。収納部１４は、図６に示すように、一時貯留部５２が、底板７２を基本位置に保持した状態のまま一時貯留部本体７１を側方の収納位置に移動させることで、図７に示す貯留区分部５２ａ〜５２ｇから落下する硬貨を、その分類状態のままで収納する。
【００３４】
収納部１４は、貯留区分部５２ａから落下する汚損硬貨を収納する収納箱８１ａ、貯留区分部５２ｂから落下する１円の正常硬貨を収納する収納箱８１ｂ、貯留区分部５２ｃから落下する５０円の正常硬貨を収納する収納箱８１ｃ、貯留区分部５２ｄから落下する５円の正常硬貨を収納する収納箱８１ｄ、貯留区分部５２ｅから落下する１００円の正常硬貨を収納する収納箱８１ｅ、貯留区分部５２ｆから落下する１０円の正常硬貨を収納する収納箱８１ｆ、貯留区分部５２ｇから落下する５００円の正常硬貨を収納する収納箱８１ｇが、前側から後側に向けて、この順に直線状に並べられている。収納箱８１ａ〜８１ｇは、それぞれが箱状となっており、同じ形状及び大きさとなっている。収納部１４は、一時貯留部５２で分類して一時貯留している硬貨を、この分類のまま収納する。収納部１４は、金種別に分類して収納する硬貨の金種数である６つよりも１つ多い７つの収納箱を有している。
【００３５】
収納部１４は、図８に示すように、入金機本体１１に対し前方に引き出し可能となるように連結された収納引出部８２を有しており、この収納引出部８２に収納箱８１ａ〜８１ｇが個別に着脱可能に装填されている。収納箱８１ａ〜８１ｇは、収納引出部８２に装填された後、この収納引出部８２が入金機本体１１に押し込まれると、図７に示す一時貯留部５２から落下する硬貨を収納可能となる。また、収納箱８１ａ〜８１ｇは、図８に示すように、収納部鍵２５のロックが解除された状態で、入金機本体１１から収納引出部８２が引き出された後、この収納引出部８２から上方又は側方に取り外されることで、収納した硬貨が外部に取り出し可能となる。ここで、収納箱８１ａ〜８１ｇは、収納引出部８２に装填され、収納引出部８２と共に入金機本体１１に装填された状態、つまり硬貨入金機１０の内部に装填された状態では、硬貨を繰り出すことはなく硬貨の収納のみを行う。つまり、収納部１４は硬貨を繰り出し不可に収納する。
【００３６】
硬貨入金機１０は、一時貯留部５２が貯留区分部５２ａ〜５２ｇに分類して貯留している硬貨を外部に返却可能に収納する返却箱１３を有している。返却箱１３は、図９に示すように、一時貯留部５２が、基本位置にある底板７２及び一時貯留部本体７１のうち底板７２のみを側方の返却位置に移動させることで、図３に示す貯留区分部５２ａ〜５２ｇから落下する硬貨を、その分類状態のままで収納する。
【００３７】
返却箱１３は、貯留区分部５２ａから落下する汚損硬貨を収納する返却区分部９１ａ、貯留区分部５２ｂから落下する１円の正常硬貨を収納する返却区分部９１ｂ、貯留区分部５２ｃから落下する５０円の正常硬貨を収納する返却区分部９１ｃ、貯留区分部５２ｄから落下する５円の正常硬貨を収納する返却区分部９１ｄ、貯留区分部５２ｅから落下する１００円の正常硬貨を収納する返却区分部９１ｅ、貯留区分部５２ｆから落下する１０円の正常硬貨を収納する返却区分部９１ｆ、貯留区分部５２ｇから落下する５００円の正常硬貨を収納する返却区分部９１ｇが、前側から後側に向けて、この順に直線状に並べられている。返却箱１３は、金種別に分類して収納する硬貨の金種数である６つよりも１つ多い７つの返却区分部を有している。
【００３８】
返却箱１３は、返却区分部９１ａ〜９１ｇが一体に設けられている。返却箱１３は、図１に示す入金機本体１１から前方に引き出されて入金機本体１１から取り外される。返却箱１３は、入金機本体１１に装填された状態で図３に示す一時貯留部５２からの硬貨を収納し、入金機本体１１から取り外されることで、収納した硬貨が外部に取り出し可能となる。ここで、返却箱１３も、入金機本体１１に装填された状態では硬貨を繰り出すことはなく収納のみを行う。なお、返却箱１３は、硬貨を金種別に分類せずに、金種混合で一括して収納するものであっても良い。
【００３９】
硬貨入金機１０は、銀行等の金融機関、流通、警備会社等の現金管理センター、ベンダーにおける現金処理業務で使用される硬貨入金機であって、通常の入金処理に加えて、従来、現送会社に準備してもらったり他の硬貨処理機によって作成したりしていた釣銭準備金を作成可能なものとなっている。
【００４０】
［通常モード］
通常モードは、以下の入金処理と、入金収納処理又は入金返却処理とを行うモードとなっている。
【００４１】
「入金処理」
操作表示部２８への操作により硬貨入金機１０が通常モードに設定された状態で、入金口２１に硬貨が投入されて操作表示部２８へ入金処理実行の操作入力がなされると、制御部２７は、入金口２１内に硬貨が投入されていることを図示略のセンサで検出していることを条件に、供給円盤３１、回転円盤３２及び搬送部３４を駆動する。すると、回転円盤３２から分離繰出部３３が硬貨を一枚ずつに分離して繰り出すことになり、繰り出された硬貨を搬送部３４が搬送し、識別部３５が真偽、金種及び正損を識別して計数する。そして、識別部３５で偽つまり受け入れ不可と識別された偽硬貨をリジェクト案内部４０で搬送部３４から案内してリジェクト箱１２に収納する。他方、識別部３５で受け入れ可能と識別された真硬貨を振分部５１で搬送部３４から案内して、一時貯留部本体７１及び底板７２の両方が図５に示すように基本位置に位置する状態の一時貯留部５２に分類して貯留させる。振分部５１は、一時貯留部５２の貯留区分部５２ａに全金種の汚損硬貨を、貯留区分部５２ｂに１円の汚損のない正常硬貨を、貯留区分部５２ｃに５０円の正常硬貨を、貯留区分部５２ｄに５円の正常硬貨を、貯留区分部５２ｅに１００円の正常硬貨を、貯留区分部５２ｆに１０円の正常硬貨を、貯留区分部５２ｇに５００円の正常硬貨を、それぞれ貯留させることになる。
【００４２】
そして、入金口２１内にあった全ての硬貨がリジェクト箱１２或いは一時貯留部５２に至ったと判定すると、制御部２７は、識別部３５の識別結果から、受け入れ可能な真硬貨の金種別の設定枚数データを操作表示部２８に表示させると共に、操作表示部２８に了解操作及びキャンセル操作の何れか一方の選択入力を受け付ける状態になって入金処理を終了する。
【００４３】
「入金収納処理」
入金処理後、操作表示部２８に了解操作が入力されると、制御部２７は、図６に示すように、底板７２を基本位置に保持した状態のまま一時貯留部本体７１を側方の収納位置に移動させることで貯留区分部５２ａ〜５２ｇから落下する硬貨を、その分類状態のままで収納部１４に収納する入金収納処理を行う。
【００４４】
この入金収納処理によって、図７に示す貯留区分部５２ａから落下する汚損硬貨を収納箱８１ａが収納し、貯留区分部５２ｂから落下する１円の正常硬貨を収納箱８１ｂが収納し、貯留区分部５２ｃから落下する５０円の正常硬貨を収納箱８１ｃが収納し、貯留区分部５２ｄから落下する５円の正常硬貨を収納箱８１ｄが収納し、貯留区分部５２ｅから落下する１００円の正常硬貨を収納箱８１ｅが収納し、貯留区分部５２ｆから落下する１０円の正常硬貨を収納箱８１ｆが収納し、貯留区分部５２ｇから落下する５００円の正常硬貨を収納箱８１ｇが収納する。その後、制御部２７は、一時貯留部本体７１を図５に示す基本位置に戻して入金収納処理を終了する。
【００４５】
「入金返却処理」
入金処理後、操作表示部２８にキャンセル操作が入力されると、制御部２７は、図９に示すように、一時貯留部本体７１を基本位置に保持した状態のまま底板７２を側方の返却位置に移動させることで貯留区分部５２ａ〜５２ｇから落下する硬貨を、その分類状態のままで返却箱１３に収納する。
【００４６】
すなわち、図３に示す貯留区分部５２ａから落下する汚損硬貨を返却区分部９１ａが収納し、貯留区分部５２ｂから落下する１円の正常硬貨を返却区分部９１ｂが収納し、貯留区分部５２ｃから落下する５０円の正常硬貨を返却区分部９１ｃが収納し、貯留区分部５２ｄから落下する５円の正常硬貨を返却区分部９１ｄが収納し、貯留区分部５２ｅから落下する１００円の正常硬貨を返却区分部９１ｅが収納し、貯留区分部５２ｆから落下する１０円の正常硬貨を返却区分部９１ｆが収納し、貯留区分部５２ｇから落下する５００円の正常硬貨を返却区分部９１ｇが収納する。その後、制御部２７は、図３に示すように、底板７２及び一時貯留部本体７１を基本位置に戻して、返却処理を終了する。この状態で、返却箱１３は、入金機本体１１から引き外されて、収納していた硬貨が外部に取り出される。
【００４７】
［釣銭準備金作成第１モード］
操作表示部２８への操作により硬貨入金機１０が釣銭準備金作成第１モードに設定され、釣銭準備金を構成する金種別の設定枚数が入力されると、制御部２７は、この金種別の設定枚数Ｂ１と、通常モードでの識別部３５の計数結果から把握している金種別の収納箱８１ｂ〜８１ｇの正常硬貨の硬貨量Ａ１とを比較する。
【００４８】
収納箱８１ｂ〜８１ｇの硬貨量Ａ１が、何れか一金種でも、金種別の設定枚数Ｂ１よりも少ないと、制御部２７は、硬貨量が不足しているとして操作表示部２８へ警告表示を行わせる。収納箱８１ｂ〜８１ｇの硬貨量Ａ１が、各金種共に、金種別の設定枚数Ｂ１以上である場合、制御部２７は、収納箱８１ａ〜８１ｇの硬貨を全て回収して、そのうちの収納箱８１ｂ〜８１ｇの硬貨を入金口２１に投入するように促す表示を操作表示部２８に表示させる。これを見た作業者が、収納箱８１ａ〜８１ｇの硬貨を全て回収して、収納箱８１ｂ〜８１ｇの硬貨を入金口２１に投入して操作表示部２８へ釣銭準備金作成処理実行の操作入力をする。すると、制御部２７は、入金口２１内に硬貨が投入されていること及び収納箱８１ａ〜８１ｇの何れも硬貨を収納していないことを図示略のセンサで検出していることを条件に、供給円盤３１、回転円盤３２及び搬送部３４を駆動する。すると、回転円盤３２から分離繰出部３３が硬貨を一枚ずつに分離して繰り出すことになり、繰り出された硬貨を搬送部３４が搬送し、識別部３５が真偽、金種及び正損を識別して計数する。そして、偽硬貨と真硬貨のうちの汚損硬貨とをリジェクト案内部４０で搬送部３４から案内してリジェクト箱１２に収納する。他方、真硬貨のうち汚損のない正常硬貨を振分部５１で搬送部３４から案内して、一時貯留部本体７１及び底板７２の両方が基本位置に位置する状態の一時貯留部５２に分類して貯留させる。
【００４９】
すなわち、振分部５１は、前記金種別の設定枚数のうちの１円の設定枚数までの１円の正常硬貨を貯留区分部５２ｂに、前記金種別の設定枚数のうちの５０円の設定枚数までの５０円の正常硬貨を貯留区分部５２ｃに、前記金種別の設定枚数のうちの５円の設定枚数までの５円の正常硬貨を貯留区分部５２ｄに、前記金種別の設定枚数のうちの１００円の設定枚数までの１００円の正常硬貨を貯留区分部５２ｅに、前記金種別の設定枚数のうちの１０円の設定枚数までの１０円の正常硬貨を貯留区分部５２ｆに、前記金種別の設定枚数のうちの５００円の設定枚数までの５００円の正常硬貨を貯留区分部５２ｇに、それぞれ貯留させることになる。
【００５０】
また、振分部５１は、前記金種別の設定枚数のうちの１円の設定枚数を超える１円の正常硬貨と、前記金種別の設定枚数のうちの５０円の設定枚数を超える５０円の正常硬貨と、前記金種別の設定枚数のうちの５円の設定枚数を超える５円の正常硬貨と、前記金種別の設定枚数のうちの１００円の設定枚数を超える１００円の正常硬貨と、前記金種別の設定枚数のうちの１０円の設定枚数を超える１０円の正常硬貨と、前記金種別の設定枚数のうちの５００円の設定枚数を超える５００円の正常硬貨とを、一時貯留部５２の貯留区分部５２ａに金種混合で貯留させることになる。
【００５１】
そして、前記金種別の設定枚数のうちの１円の設定枚数の１円の正常硬貨を貯留区分部５２ｂに、前記金種別の設定枚数のうちの５０円の設定枚数の５０円の正常硬貨を貯留区分部５２ｃに、前記金種別の設定枚数のうちの５円の設定枚数の５円の正常硬貨を貯留区分部５２ｄに、前記金種別の設定枚数のうちの１００円の設定枚数の１００円の正常硬貨を貯留区分部５２ｅに、前記金種別の設定枚数のうちの１０円の設定枚数の正常硬貨を貯留区分部５２ｆに、前記金種別の設定枚数のうちの５００円の設定枚数の正常硬貨を貯留区分部５２ｇに、それぞれ貯留させると、制御部２７は、供給円盤３１及び回転円盤３２を停止させると共に搬送部３４に残っている硬貨のうち、偽硬貨と汚損硬貨とをリジェクト案内部４０で搬送部３４から案内してリジェクト箱１２に収納し、全金種の正常硬貨を一時貯留部５２の貯留区分部５２ａに貯留させることになる。前記金種別の設定枚数Ｂ１の硬貨すなわち貯留区分部５２ｂ〜５２ｇに貯留させた硬貨と、貯留区分部５２ａに貯留させた硬貨とは、共に識別部３５を通過しているので、制御部２７は、上記硬貨量Ａ１から、金種毎に、前記金種別の設定枚数Ｂ１と貯留区分部５２ａに貯留させた硬貨の枚数Ｃ１とを差し引いた値が未計数の硬貨量Ｄ１であることを把握する。
【００５２】
その後、制御部２７は、底板７２を基本位置に保持した状態のまま一時貯留部本体７１を側方の収納位置に移動させることで貯留区分部５２ａ〜５２ｇから落下する硬貨を、その分類状態のままで収納部１４に収納する。
【００５３】
これにより、貯留区分部５２ａから落下する前記金種別の設定枚数を超える硬貨を金種混合で収納箱８１ａが収納し、貯留区分部５２ｂから落下する１円の正常硬貨を収納箱８１ｂが収納し、貯留区分部５２ｃから落下する５０円の正常硬貨を収納箱８１ｃが収納し、貯留区分部５２ｄから落下する５円の正常硬貨を収納箱８１ｄが収納し、貯留区分部５２ｅから落下する１００円の正常硬貨を収納箱８１ｅが収納し、貯留区分部５２ｆから落下する１０円の正常硬貨を収納箱８１ｆが収納し、貯留区分部５２ｇから落下する５００円の正常硬貨を収納箱８１ｇが収納する。その後、制御部２７は、一時貯留部本体７１を基本位置に戻して釣銭準備金作成処理を終了する。
【００５４】
その結果、前記金種別の設定枚数のうちの１円の設定枚数の１円の正常硬貨が収納箱８１ｂに収納され、前記金種別の設定枚数のうちの５０円の設定枚数の５０円の正常硬貨が収納箱８１ｃに収納され、前記金種別の設定枚数のうちの５円の設定枚数の５円の正常硬貨が収納箱８１ｄに収納され、前記金種別の設定枚数のうちの１００円の設定枚数の１００円の正常硬貨が収納箱８１ｅに収納され、前記金種別の設定枚数のうちの１０円の設定枚数の１０円の正常硬貨が収納箱８１ｆに収納され、前記金種別の設定枚数のうちの５００円の設定枚数の５００円の正常硬貨が収納箱８１ｇに収納される。入金機本体１１から収納部１４を引き出し、収納部１４の収納引出部８２から収納箱８１ｂ〜８１ｇを取り出して、各収納箱８１ｂ〜８１ｇから硬貨を取り出すことで、前記金種別の設定枚数の硬貨を金種別に分けた状態で得ることができる。
【００５５】
すなわち、金種別の設定枚数が入力されると、振分部５１は、識別部３５の識別結果に基づいて、入金口２１に投入された硬貨のうち前記金種別の設定枚数の硬貨を、前記金種別の設定枚数を超える硬貨と分類して一時貯留部５２に貯留させることになり、一時貯留部５２は、前記金種別の設定枚数の硬貨を一時貯留すると、一時貯留している硬貨を分類状態のまま収納部１４に収納させることになる。より詳しくは、金種別の設定枚数が入力されると、振分部５１は、識別部３５の識別結果に基づいて、入金口２１に投入された硬貨のうち前記金種別の設定枚数の硬貨を前記金種別の設定枚数を超える硬貨と分類すると共に、前記金種別の設定枚数の硬貨を、各金種に分類して一時貯留部５２に貯留させる。また、一時貯留部５２は、前記金種別の設定枚数を超える硬貨を、通常モードにおいては汚損硬貨が収納される収納部１４の収納箱８１ａに収納させる。
【００５６】
継続して釣銭準備金作成処理を行う場合には、収納箱８１ｂ〜８１ｇが入金機本体１１にセットされると、同様に、次の釣銭準備金を収納箱８１ｂ〜８１ｇに金種別に出金する。すなわち、次の釣銭準備金の金種別の設定枚数Ｅ１が入力されると、まず、金種毎に、上記硬貨量Ａ１から、すでに釣銭準備金として収納箱８１ｂ〜８１ｇに出金された硬貨量Ｂ１を減算し、この値が次の釣銭準備金の金種別の設定枚数Ｅ１以上であるか否かを判定する。各金種共に、硬貨量Ａ１から硬貨量Ｂ１を減算した値が設定枚数Ｅ１以上である場合、金種毎に、未計数の硬貨量Ｄ１が設定枚数Ｅ１以上であるか否かを判定する。各金種共に、未計数の硬貨量Ｄ１が設定枚数Ｅ１以上であれば、継続して釣銭準備金作成処理を実行可能となる。すなわち、この状態で、操作表示部２８へ釣銭準備金作成処理実行の操作入力がされると、制御部２７は、入金口２１内に硬貨が投入されていること及び収納箱８１ｂ〜８１ｇの何れも硬貨を収納していないことを図示略のセンサで検出していることを条件に、釣銭準備金作成処理を実行する。すなわち、収納箱８１ａには、硬貨が収納されていても釣銭準備金作成処理を実行する。
【００５７】
これに対して、何れかの金種で、未計数の硬貨量Ｄ１が設定枚数Ｅ１より少なければ、金種別の設定枚数Ｅ１の釣銭準備金を準備できないため、操作表示部２８へ収納箱８１ａの硬貨を全て回収して入金口２１に投入するように促す表示を表示させる。これを見た作業者が、収納箱８１ａの硬貨を全て回収して、収納箱８１ａの硬貨を入金口２１に投入して操作表示部２８へ釣銭準備金作成処理実行の操作入力をする。すると、制御部２７は、入金口２１内に硬貨が投入されていること及び収納箱８１ａ〜８１ｇの何れも硬貨を収納していないことを図示略のセンサで検出していることを条件に、釣銭準備金作成処理を実行する。その際に、この釣銭準備金作成処理開始時点での未計数の硬貨量Ｄ１を、金種毎に、硬貨量Ａ１から前回の釣銭準備金作成処理での金種別の設定枚数Ｂ１を減算した値Ｆ１に更新する。以後、同様の制御を繰り返す。
【００５８】
なお、釣銭準備金作成処理中に収納箱８１ａがフルになったことを図示略のセンサで検知した場合には、収納箱８１ａからの硬貨の回収を促す表示を操作表示部２８に表示させる。すると、作業者は、収納箱８１ａからの硬貨を回収して入金口２１に投入して釣銭準備金の元とする。
【００５９】
以上において、入金口２１に投入された硬貨が汚損硬貨の場合は、リジェクト箱１２にリジェクトするようにしたが、汚損硬貨は、釣銭準備金に不向きであるため、釣銭準備金として出金されないように分離すれば良い。このため、投入された硬貨が汚損硬貨の場合、リジェクト箱１２ではなく、収納箱８１ａに収納するようにしても良い。
【００６０】
［釣銭準備金作成第２モード］
操作表示部２８への操作により硬貨入金機１０が釣銭準備金作成第２モードに設定され、釣銭準備金を構成する金種別の設定枚数が入力されると、制御部２７は、釣銭準備金作成第１モードと同様に、この金種別の設定枚数Ｂ２と、通常モードでの識別部３５の計数結果から把握している収納箱８１ｂ〜８１ｇの硬貨量Ａ２とを比較する。
【００６１】
収納箱８１ｂ〜８１ｇの硬貨量Ａ２が、各金種共に、金種別の設定枚数Ｂ２以上であることを条件に、制御部２７は、収納箱８１ａ〜８１ｇの硬貨を全て回収して、そのうちの収納箱８１ｂ〜８１ｇの硬貨を入金口２１に投入するように促す表示を操作表示部２８に表示させる。これを見た作業者が、収納箱８１ａ〜８１ｇの硬貨を全て回収して、収納箱８１ｂ〜８１ｇの硬貨を入金口２１に投入して操作表示部２８へ釣銭準備金作成処理実行の操作入力をする。すると、制御部２７は、入金口２１内に硬貨が投入されていること及び収納箱８１ａ〜８１ｇの何れも硬貨を収納していないことを図示略のセンサで検出していることを条件に、供給円盤３１、回転円盤３２及び搬送部３４を駆動して、入金口２１の硬貨を搬送部３４で搬送し、識別部３５で真偽、金種及び正損を識別して計数させる。そして、偽硬貨と汚損硬貨とをリジェクト案内部４０でリジェクト箱１２に収納する。他方、正常硬貨を振分部５１で一時貯留部本体７１及び底板７２の両方が基本位置に位置する状態の一時貯留部５２に分類して貯留させる。
【００６２】
すなわち、振分部５１は、一時貯留部５２の貯留区分部５２ａに、前記金種別の設定枚数の正常硬貨を金種混合で貯留させることになる。つまり、前記金種別の設定枚数のうちの１円の設定枚数までの１円の正常硬貨と、前記金種別の設定枚数のうちの５０円の設定枚数までの５０円の正常硬貨と、前記金種別の設定枚数のうちの５円の設定枚数までの５円の正常硬貨と、前記金種別の設定枚数のうちの１００円の設定枚数までの１００円の正常硬貨と、前記金種別の設定枚数のうちの１０円の設定枚数までの１０円の正常硬貨と、前記金種別の設定枚数のうちの５００円の設定枚数までの５００円の正常硬貨とを貯留区分部５２ａに貯留させる。
【００６３】
また、振分部５１は、前記金種別の設定枚数のうちの１円の設定枚数を超える１円の正常硬貨を貯留区分部５２ｂに、前記金種別の設定枚数のうちの５０円の設定枚数を超える５０円の正常硬貨を貯留区分部５２ｃに、前記金種別の設定枚数のうちの５円の設定枚数を超える５円の正常硬貨を貯留区分部５２ｄに、前記金種別の設定枚数のうちの１００円の設定枚数を超える１００円の正常硬貨を貯留区分部５２ｅに、前記金種別の設定枚数のうちの１０円の設定枚数を超える１０円の正常硬貨を貯留区分部５２ｆに、前記金種別の設定枚数のうちの５００円の設定枚数を超える５００円の正常硬貨を貯留区分部５２ｇに、それぞれ貯留させることになる。
【００６４】
そして、貯留区分部５２ａに前記金種別の設定枚数の正常硬貨を全て貯留させると、制御部２７は、供給円盤３１及び回転円盤３２を停止させると共に、搬送部３４に残っている硬貨のうち、偽硬貨と汚損硬貨とをリジェクト案内部４０でリジェクト箱１２に収納し、正常硬貨を一時貯留部５２の貯留区分部５２ｂ〜５２ｇに金種別に貯留させることになる。前記金種別の設定枚数Ｂ２の硬貨すなわち貯留区分部５２ａに貯留させた硬貨と、貯留区分部５２ｂ〜５２ｇに貯留させた硬貨とは、共に識別部３５を通過しているので、制御部２７は、収納箱８１ｂ〜８１ｇから回収した上記硬貨量Ａ２から、金種毎に、前記金種別の設定枚数Ｂ１と貯留区分部５２ｂ〜５２ｇに貯留させた硬貨の枚数Ｃ２とを差し引いた値が未計数の硬貨量Ｄ２であることを把握する。
【００６５】
その後、制御部２７は、底板７２を基本位置に保持した状態のまま一時貯留部本体７１を側方の収納位置に移動させることで貯留区分部５２ａ〜５２ｇから落下する硬貨を、その分類状態のままで収納部１４に収納する。
【００６６】
これにより、貯留区分部５２ａから落下する前記金種別の設定枚数の硬貨を収納箱８１ａが金種混合で収納し、貯留区分部５２ｂから落下する１円の正常硬貨を収納箱８１ｂが収納し、貯留区分部５２ｃから落下する５０円の正常硬貨を収納箱８１ｃが収納し、貯留区分部５２ｄから落下する５円の正常硬貨を収納箱８１ｄが収納し、貯留区分部５２ｅから落下する１００円の正常硬貨を収納箱８１ｅが収納し、貯留区分部５２ｆから落下する１０円の正常硬貨を収納箱８１ｆが収納し、貯留区分部５２ｇから落下する５００円の正常硬貨を収納箱８１ｇが収納する。その後、制御部２７は、一時貯留部本体７１を基本位置に戻して釣銭準備金作成処理を終了する。
【００６７】
その結果、前記金種別の設定枚数の正常硬貨が金種混合で収納箱８１ａに、前記金種別の設定枚数のうちの１円の設定枚数を超える１円の正常硬貨が収納箱８１ｂに、前記金種別の設定枚数のうちの５０円の設定枚数を超える５０円の正常硬貨が収納箱８１ｃに、前記金種別の設定枚数のうちの５円の設定枚数を超える５円の正常硬貨が収納箱８１ｄに、前記金種別の設定枚数のうちの１００円の設定枚数を超える１００円の正常硬貨が収納箱８１ｅに、前記金種別の設定枚数のうちの１０円の設定枚数を超える１０円の正常硬貨が収納箱８１ｆに、前記金種別の設定枚数のうちの５００円の設定枚数を超える５００円の正常硬貨が収納箱８１ｇに、それぞれ収納される。入金機本体１１から収納部１４を引き出し、収納部１４の収納引出部８２から収納箱８１ａを取り出して、収納箱８１ａから硬貨を取り出すことで、前記金種別の設定枚数の硬貨を金種混合の状態で得ることができる。
【００６８】
すなわち、金種別の設定枚数が入力されると、振分部５１は、識別部３５の識別結果に基づいて、入金口２１に投入された硬貨のうち前記金種別の設定枚数の硬貨を、前記金種別の設定枚数を超える硬貨と分類して一時貯留部５２に貯留させることになり、一時貯留部５２は、前記金種別の設定枚数の硬貨を一時貯留すると、一時貯留している硬貨を分類状態のまま収納部１４に収納させることになる。より詳しくは、金種別の設定枚数が入力されると、振分部５１は、識別部３５の識別結果に基づいて、入金口２１に投入された硬貨のうち前記金種別の設定枚数の硬貨を前記金種別の設定枚数を超える硬貨と分類すると共に、前記金種別の設定枚数を超える硬貨を各金種に分類して一時貯留部５２に貯留させる。その際に、一時貯留部５２は、前記金種別の設定枚数の硬貨を、通常モードにおいては汚損硬貨が収納される収納部１４の収納箱８１ａに収納させる。
【００６９】
継続して釣銭準備金作成処理を行う場合には、収納箱８１ａが入金機本体１１にセットされると、同様に、次の釣銭準備金を収納箱８１ａに金種別に出金する。すなわち、次の釣銭準備金の金種別の設定枚数Ｅ２が入力されると、まず、金種毎に、上記硬貨量Ａ２から、すでに釣銭準備金として収納箱８１ａに出金された硬貨量Ｂ２を減算し、この値が次の釣銭準備金の金種別の設定枚数Ｅ２以上であるか否かを判定する。各金種共に、硬貨量Ａ２から硬貨量Ｂ２を減算した値が設定枚数Ｅ２以上である場合、金種毎に、未計数の硬貨量Ｄ２が設定枚数Ｅ２以上であるか否かを判定する。各金種共に、未計数の硬貨量Ｄ２が設定枚数Ｅ２以上であれば、継続して釣銭準備金作成処理を実行可能となる。すなわち、この状態で、操作表示部２８へ釣銭準備金作成処理実行の操作入力がされると、制御部２７は、入金口２１内に硬貨が投入されていること及び収納箱８１ａに硬貨を収納していないことを図示略のセンサで検出していることを条件に、釣銭準備金作成処理を実行する。すなわち、収納箱８１ｂ〜８１ｇには、硬貨が収納されていても釣銭準備金作成処理を実行する。
【００７０】
上記に対して、何れかの金種で、未計数の硬貨量Ｄ２が設定枚数Ｅ２より少なければ、金種別の設定枚数Ｅ２の釣銭準備金を準備できないため、操作表示部２８へ、不足の金種を表示して、収納箱８１ｂ〜８１ｇのうち少なくとも不足の金種の収納箱の硬貨を全て回収して入金口２１に投入するように促す表示を表示させる。これを見た作業者が、収納箱８１ｂ〜８１ｇのうち不足の金種の収納箱の硬貨を全て回収して入金口２１に投入し、或いは全ての収納箱８１ｂ〜８１ｇの硬貨を全て回収して入金口２１に投入して操作表示部２８へ釣銭準備金作成処理実行の操作入力をする。すると、制御部２７は、入金口２１内に硬貨が投入されていること及び収納箱８１ａと収納箱８１ｂ〜８１ｇのうち不足の金種の収納箱とが硬貨を収納していないことを図示略のセンサで検出していることを条件に、釣銭準備金作成処理を実行する。以後、同様の制御を繰り返す。
【００７１】
なお、釣銭準備金作成処理中に収納箱８１ｂ〜８１ｇがフルになったことを図示略のセンサで検知した場合には、収納箱８１ｂ〜８１ｇのうちのフルになった収納箱からの硬貨の回収を促す表示を操作表示部２８に表示させる。すると、作業者は、収納箱８１ｂ〜８１ｇのうちのフルになった収納箱から硬貨を回収して入金口２１に投入して釣銭準備金の元とする。
【００７２】
以上において、入金口２１に投入された硬貨が汚損硬貨の場合は、リジェクト箱１２にリジェクトするようにしたが、汚損硬貨は、釣銭準備金に不向きであるため、釣銭準備金として出金されないように分離すれば良い。このため、投入された硬貨が汚損硬貨の場合、リジェクト箱１２ではなく、金種毎に収納箱８１ｂ〜８１ｇに収納するようにしても良い。
【００７３】
以上に述べた第１実施形態によれば、振分部５１が、識別部３５の識別結果に基づいて、入金口２１に投入された硬貨のうち、受け入れ可能な硬貨を各金種の正常硬貨及び汚損硬貨に分類して振り分けると、一時貯留部５２が振分部５１で振り分けられた硬貨を前記分類のまま一時貯留する。そして、受け入れた硬貨を収納する際には、一時貯留部５２で一時貯留している硬貨を前記分類のまま収納部１４に収納する。このようにして、投入された硬貨を識別して収納する。また、受け入れた硬貨を返却する際には、一時貯留部５２で一時貯留している硬貨を前記分類のまま返却箱１３に収納する。
【００７４】
一方、釣銭準備金を作成する際には、金種別の設定枚数が入力されると、振分部５１は、識別部３５の識別結果に基づいて、入金口２１に投入された硬貨のうち前記金種別の設定枚数の硬貨を、前記金種別の設定枚数を超える硬貨と分類して一時貯留部５２に貯留させ、一時貯留部５２は、前記金種別の設定枚数の硬貨を一時貯留すると、一時貯留している硬貨を分類状態のまま収納部１４に収納させる。これにより、入力された前記金種別の設定枚数の硬貨を、前記金種別の設定枚数を超える硬貨と分離して、収納部１４に収納させることができ、収納部１４から前記金種別の設定枚数の硬貨を取り出して釣銭準備金とすることができる。このように、通常モードでは汚損硬貨が収納される収納箱８１ａを含む収納部１４を有効利用して、釣銭準備専用の機構を設けること無しに、釣銭準備金を作成することができる。従って、釣銭準備専用の機構を設けた場合と比較して、部品点数を低減し、コストの増加及び装置の大型化を抑制することができ、釣銭準備金の準備のための負担を低減することができる。
【００７５】
また、釣銭準備金作成第１モードで、金種別の設定枚数が入力されると、振分部５１は、識別部３５の識別結果に基づいて、入金口２１に投入された硬貨のうち前記金種別の設定枚数の硬貨を前記金種別の設定枚数を超える硬貨と分類すると共に、前記金種別の設定枚数の硬貨を各金種に分類して一時貯留部５２に貯留させる。これにより、入力された金種別の設定枚数の硬貨を各金種に分類して収納部１４に収納することができる。従って、釣銭準備金を金種別に準備することができる。
【００７６】
また、釣銭準備金作成第１モードで、一時貯留部５２は、金種別の設定枚数を超える硬貨を、通常モードにおいては汚損硬貨が収納される収納部１４の収納箱８１ａに収納させるため、通常モードにおいて汚損硬貨が収納される収納部１４の収納箱８１ａを有効利用することができる。
【００７７】
また、釣銭準備金作成第２モードで、金種別の設定枚数が入力されると、振分部５１は、識別部３５の識別結果に基づいて、入金口２１に投入された硬貨のうち前記金種別の設定枚数の硬貨を前記金種別の設定枚数を超える硬貨と分類すると共に、前記金種別の設定枚数を超える硬貨を各金種に分類して一時貯留部５２に貯留させる。これにより、入力された金種別の設定枚数を超える硬貨を各金種に分類して収納部１４に収納することができる。よって、続けて行われる釣銭準備金作成処理において、入金口２１に硬貨の不足が生じた場合でも必要な金種の硬貨を効率良く入金口２１に投入することができる。
【００７８】
また、釣銭準備金作成第２モードで、一時貯留部５２は、金種別の設定枚数の硬貨を、通常モードにおいては汚損硬貨が収納される収納部１４の収納箱８１ａに収納させるため、通常モードにおいて汚損硬貨が収納される収納部１４の収納箱８１ａを有効利用することができる。
【００７９】
以上の第１実施形態を以下の変形例１〜４のように変更することができる。
【００８０】
［変形例１］
通常モード時において、収納箱８１ａに汚損硬貨を収納することに限定されるものではなく、汚損硬貨の代わりに、１円、５円、１０円、５０円、１００円、５００円の中から指定された何れかの硬貨を収納箱８１ａに収納するようにしても良い。例えば、汚損硬貨の代わりに、使用頻度が多い、１０円や１００円を収納箱８１ａに収納したり、旧５００円又は新５００円を収納箱８１ａに収納したりする。つまり、この収納箱８１ａには、使用頻度が多い、１０円や１００円の補助収納箱として使用されたり、新旧の５００円を選別するための５００円の補助収納箱として使用されたりする。
【００８１】
［変形例２］
釣銭準備金（金種別の枚数データ）は、１回ごとに、入力しても良いし、最初に、必要な複数回分のデータを入力しても良い。複数回分を一度に入力した場合、釣銭準備金を作成し始める前に、釣銭準備金として回収される収納箱８１ｂ〜８１ｇの硬貨量Ａ１，Ａ２だけで、複数回分の釣銭作成が可能か否かの判断が可能となる。不足が予測されるときは、その旨を操作表示部２８に報知することで、手持ちからの事前出金を行って入金口２１に投入してからの釣銭作成が可能となる。
【００８２】
［変形例３］
釣銭準備金を構成する金種別の設定枚数のデータは、事前にパターン登録しておき、登録された複数パターンの中から操作表示部２８への操作で選択するようにしても良い。また、登録パターンの選択と、都度入力とを組み合わせても良い。
【００８３】
［変形例４］
収納箱８１ａ〜８１ｇは、同じ形状及び大きさであることが好ましいが、汚損硬貨及び６金種のうちの何れかが収納される収納箱を他の収納箱よりも大きく又は小さく設ける等、使用頻度に応じて大きさを異ならせるようにしても良い。
【００８４】
＜第２実施形態＞
本発明の第２実施形態に係る硬貨入金機を第１実施形態との相違部分を中心に以下に説明する。
【００８５】
第２実施形態においては、第１実施形態の振分部５１の単金種案内部５１ｂ〜５１ｇが、リジェクト案内部４０及び汚損硬貨案内部５１ａと同様の構造であり、全金種の硬貨の落下及び通過を制御可能となっている。
【００８６】
第２実施形態においては、第１実施形態の通常モード、釣銭準備金作成第１モード及び釣銭準備金作成第２モードに加えて、以下の釣銭準備金作成第３モードが実行可能となっている。
【００８７】
［釣銭準備金作成第３モード］
操作表示部２８への操作により硬貨入金機１０が釣銭準備金作成第３モードに設定され、釣銭準備金を構成する金種別の設定枚数が複数組み分入力される。ここでは、第１組〜第６組の６組みが入力された場合を例にとり説明するが、１組みを含む５組み以下の金種別の設定枚数が入力される場合も勿論ある。また、始めに７組み以上の金種別の設定枚数が設定された場合、複数回に分けて処理を行う。
【００８８】
第１組〜第６組の金種別の設定枚数が入力されると、制御部２７は、第１組〜第６組の金種別の設定枚数の合計値Ｂ３と、通常モードでの識別部３５の計数結果から把握している収納箱８１ｂ〜８１ｇの硬貨量Ａ３とを比較する。収納箱８１ｂ〜８１ｇの硬貨量Ａ３が、何れか一金種でも、第１組〜第６組の金種別の設定枚数の合計値Ｂ３よりも少ないと、制御部２７は、硬貨量が不足しているとして操作表示部２８へ警告表示を行わせる。収納箱８１ｂ〜８１ｇの硬貨量Ａ３が、各金種共に、第１組〜第６組の金種別の設定枚数の合計値Ｂ３以上である場合、制御部２７は、収納箱８１ａ〜８１ｇの硬貨を全て回収して、これらのうち収納箱８１ｂ〜８１ｇの硬貨を入金口２１に投入するように促す表示を操作表示部２８に表示させる。これを見た作業者が、収納箱８１ａ〜８１ｇの硬貨を全て回収して、収納箱８１ｂ〜８１ｇの硬貨を入金口２１に投入して操作表示部２８へ釣銭準備金作成処理実行の操作入力をする。すると、制御部２７は、入金口２１内に硬貨が投入されていること及び収納箱８１ａ〜８１ｇに硬貨を収納していないことを図示略のセンサで検出していることを条件に、供給円盤３１、回転円盤３２及び搬送部３４を駆動して、入金口２１の硬貨を搬送部３４で搬送し、識別部３５で真偽、金種及び正損を識別して計数させる。そして、偽硬貨と汚損硬貨とをリジェクト案内部４０でリジェクト箱１２に収納する。他方、正常硬貨を振分部５１で一時貯留部本体７１及び底板７２の両方が基本位置に位置する状態の一時貯留部５２に分類して貯留させる。
【００８９】
その際に、振分部５１は、第１組の金種別の設定枚数の正常硬貨を金種混合で貯留区分部５２ｂに貯留させることになる。すなわち、第１組の金種別の設定枚数のうちの１円の設定枚数までの１円の正常硬貨と、第１組の金種別の設定枚数のうちの５０円の設定枚数までの５０円の正常硬貨と、第１組の金種別の設定枚数のうちの５円の設定枚数までの５円の正常硬貨と、第１組の金種別の設定枚数のうちの１００円の設定枚数までの１００円の正常硬貨と、第１組の金種別の設定枚数のうちの１０円の設定枚数までの１０円の正常硬貨と、第１組の金種別の設定枚数のうちの５００円の設定枚数までの５００円の正常硬貨とを貯留区分部５２ｂに貯留させる。同様にして、第２組の金種別の設定枚数の正常硬貨を金種混合で貯留区分部５２ｃに、第３組の金種別の設定枚数の正常硬貨を金種混合で貯留区分部５２ｄに、第４組の金種別の設定枚数の正常硬貨を金種混合で貯留区分部５２ｅに、第５組の金種別の設定枚数の正常硬貨を金種混合で貯留区分部５２ｆに、第６組の金種別の設定枚数の正常硬貨を金種混合で貯留区分部５２ｇに、それぞれ貯留させることになる。
【００９０】
また、貯留区分部５２ａに、前記第１〜第６組の金種別の設定枚数の合計値を超える硬貨を貯留することになる。すなわち、第１〜第６組の金種別の設定枚数のうちの１円の設定枚数の合計値を超える１円の正常硬貨と、第１〜第６組の金種別の設定枚数のうちの５０円の設定枚数の合計値を超える５０円の正常硬貨と、第１〜第６組の金種別の設定枚数のうちの５円の設定枚数の合計値を超える５円の正常硬貨と、第１〜第６組の金種別の設定枚数のうちの１００円の設定枚数の合計値を超える１００円の正常硬貨と、第１〜第６組の金種別の設定枚数のうちの１０円の設定枚数の合計値を超える１０円の正常硬貨と、第１〜第６組の金種別の設定枚数のうちの５００円の設定枚数の合計値を超える５００円の正常硬貨とを、貯留区分部５２ａに貯留させることになる。
【００９１】
その際に、何れの金種の正常硬貨においても貯留区分部５２ｂ、貯留区分部５２ｃ、貯留区分部５２ｄ、貯留区分部５２ｅ、貯留区分部５２ｆ、貯留区分部５２ｇ、貯留区分部５２ａの順に貯留されることになる。金種混合で搬送部３４により搬送される硬貨について、例えば１円だけに着目すると、先ず、貯留区分部５２ｂに第１組の１円硬貨の設定枚数分の１円硬貨の正常硬貨が貯留され、次に、貯留区分部５２ｃに第２組の１円硬貨の設定枚数分の１円硬貨の正常硬貨が貯留され、次に、貯留区分部５２ｄに第３組の１円硬貨の設定枚数分の１円硬貨の正常硬貨が貯留され、次に、貯留区分部５２ｅに第４組の１円硬貨の設定枚数分の１円硬貨の正常硬貨が貯留され、次に、貯留区分部５２ｆに第５組の１円硬貨の設定枚数分の１円硬貨の正常硬貨が貯留され、次に、貯留区分部５２ｇに第６組の１円硬貨の設定枚数分の１円硬貨の正常硬貨が貯留され、その後は、貯留区分部５２ａに１円硬貨の正常硬貨が貯留される。このような処理を、各金種それぞれについて行う。
【００９２】
そして、第１組の金種別の設定枚数の正常硬貨を金種混合で貯留区分部５２ｂに、第２組の金種別の設定枚数の正常硬貨を金種混合で貯留区分部５２ｃに、第３組の金種別の設定枚数の正常硬貨を金種混合で貯留区分部５２ｄに、第４組の金種別の設定枚数の正常硬貨を金種混合で貯留区分部５２ｅに、第５組の金種別の設定枚数の正常硬貨を金種混合で貯留区分部５２ｆに、第６組の金種別の設定枚数の正常硬貨を金種混合で貯留区分部５２ｇに、それぞれ貯留させると、制御部２７は、供給円盤３１及び回転円盤３２を停止させると共に、搬送部３４に残っている硬貨のうち、偽硬貨と汚損硬貨とをリジェクト案内部４０でリジェクト箱１２に収納し、正常硬貨を一時貯留部５２の貯留区分部５２ａに貯留させることになる。前記第１〜第６組の金種別の設定枚数の合計値Ｂ３の硬貨すなわち貯留区分部５２ｂ〜５２ｇに貯留させた硬貨と、貯留区分部５２ａに貯留させた硬貨とは、共に識別部３５を通過しているので、制御部２７は、収納箱８１ｂ〜８１ｇから回収した硬貨量Ａ３から、金種毎に、前記第１〜第６組の金種別の設定枚数の合計値Ｂ３と貯留区分部５２ｂ〜５２ｇに貯留させた硬貨の枚数Ｃ３とを差し引いた値が未計数の硬貨量Ｄ３であることを把握する。
【００９３】
その後、制御部２７は、底板７２を基本位置に保持した状態のまま一時貯留部本体７１を側方の収納位置に移動させることで貯留区分部５２ａ〜５２ｇから落下する硬貨を、その分類状態のままで収納部１４に収納する。
【００９４】
これにより、貯留区分部５２ａから落下する第１〜第６組の金種別の設定枚数を超える硬貨を金種混合で収納箱８１ａが収納し、貯留区分部５２ｂから落下する第１組の金種別の設定枚数の正常硬貨を金種混合で収納箱８１ｂが収納し、貯留区分部５２ｃから落下する第２組の金種別の設定枚数の正常硬貨を金種混合で収納箱８１ｃが収納し、貯留区分部５２ｂから落下する第３組の金種別の設定枚数の正常硬貨を金種混合で収納箱８１ｄが収納し、貯留区分部５２ｅから落下する第４組の金種別の設定枚数の正常硬貨を金種混合で収納箱８１ｅが収納し、貯留区分部５２ｆから落下する第５組の金種別の設定枚数の正常硬貨を金種混合で収納箱８１ｆが収納し、貯留区分部５２ｇから落下する第６組の金種別の設定枚数の正常硬貨を金種混合で収納箱８１ｇが収納する。その後、制御部２７は、一時貯留部本体７１を基本位置に戻して釣銭準備金作成処理を終了する。
【００９５】
その結果、第１組の金種別の設定枚数の正常硬貨が金種混合で収納箱８１ｂに収納され、第２組の金種別の設定枚数の正常硬貨が金種混合で収納箱８１ｃに収納され、第３組の金種別の設定枚数の正常硬貨が金種混合で収納箱８１ｄに収納され、第４組の金種別の設定枚数の正常硬貨が金種混合で収納箱８１ｅに収納され、第５組の金種別の設定枚数の正常硬貨が金種混合で収納箱８１ｆに収納され、第６組の金種別の設定枚数の正常硬貨が収納箱８１ｇに金種混合で収納される。入金機本体１１から収納部１４を引き出し、収納部１４の収納引出部８２から収納箱８１ｂ〜８１ｇを取り出して、収納箱８１ｂ〜８１ｇから硬貨を取り出すことで、第１〜第６組の金種別の設定枚数の硬貨を、各組み毎に分けた状態で得ることができる。
【００９６】
すなわち、金種別の設定枚数が入力されると、振分部５１は、識別部３５の識別結果に基づいて、入金口２１に投入された硬貨のうち複数組みの金種別の設定枚数の硬貨を、複数組みの金種別の設定枚数を超える硬貨と分類して一時貯留部５２に貯留させることになり、一時貯留部５２は、複数組みの金種別の設定枚数の硬貨を一時貯留すると、一時貯留している硬貨を分類状態のまま収納部１４に収納させることになる。より詳しくは、金種別の設定枚数が複数組み入力されると、振分部５１は、識別部３５の識別結果に基づいて、入金口２１に投入された硬貨のうち前記複数組みの金種別の設定枚数の硬貨を各組み別に分類すると共に、前記複数組みの金種別の設定枚数を超える硬貨を、前記複数組みの金種別の設定枚数の硬貨とは分類して一時貯留部５２に貯留させる。
【００９７】
継続して釣銭準備金作成処理を行う場合には、収納箱８１ｂ〜８１ｇが入金機本体１１にセットされると、同様に、次の釣銭準備金を収納箱８１ｂ〜８１ｇに金種別に出金する。すなわち、次の釣銭準備金の第１〜第６組の金種別の設定枚数が入力されると、まず、金種毎に、上記硬貨量Ａ３から、すでに釣銭準備金として収納箱８１ｂ〜８１ｇに出金された硬貨量Ｂ３を減算し、この値が次の釣銭準備金の第１〜第６組の金種別の設定枚数の合計値Ｅ３以上であるか否かを判定する。各金種共に、硬貨量Ａ３から硬貨量Ｂ３を減算した値が設定枚数Ｅ３以上である場合、金種毎に、未計数の硬貨量Ｄ３が設定枚数の合計値Ｅ３以上であるか否かを判定する。各金種共に、未計数の硬貨量Ｄ３が設定枚数の合計値Ｅ３以上であれば、継続して釣銭準備金作成処理を実行可能となる。すなわち、この状態で、操作表示部２８へ釣銭準備金作成処理実行の操作入力がされると、制御部２７は、入金口２１内に硬貨が投入されていること及び収納箱８１ｂ〜８１ｇに硬貨を収納していないことを図示略のセンサで検出していることを条件に、釣銭準備金作成処理を実行する。すなわち、収納箱８１ａには、硬貨が収納されていても釣銭準備金作成処理を実行する。
【００９８】
上記に対して、何れかの金種で、未計数の硬貨量Ｄ３が設定枚数の合計値Ｅ３より少なければ、金種別の設定枚数の合計値Ｅ３の釣銭準備金を準備できないため、操作表示部２８へ、不足の金種を表示して、収納箱８１ａの硬貨を全て回収して入金口２１に投入するように促す表示を表示させる。これを見た作業者が、収納箱８１ａの硬貨を全て回収して入金口２１に投入して操作表示部２８へ釣銭準備金作成処理実行の操作入力をする。すると、制御部２７は、入金口２１内に硬貨が投入されていること及び収納箱８１ａ〜８１ｇが硬貨を収納していないことを図示略のセンサで検出していることを条件に、釣銭準備金作成処理を実行する。以後、同様の制御を繰り返す。
【００９９】
なお、釣銭準備金作成処理中に収納箱８１ａがフルになったことを図示略のセンサで検知した場合には、収納箱８１ａからの硬貨の回収を促す表示を操作表示部２８に表示させる。すると、作業者は、収納箱８１ａから硬貨を回収して入金口２１に投入して釣銭準備金の元とする。
【０１００】
第２実施形態においても、入金口２１に投入された硬貨が汚損硬貨の場合は、リジェクト箱１２にリジェクトするようにしたが、汚損硬貨は、釣銭準備金に不向きであるため、釣銭準備金として出金されないように分離すれば良い。このため、投入された硬貨が汚損硬貨の場合、リジェクト箱１２ではなく、収納箱８１ａに収納するようにしても良い。
【０１０１】
以上に述べた第２実施形態によれば、金種別の設定枚数が複数組み入力されると、振分部５１は、識別部３５の識別結果に基づいて、入金口２１に投入された硬貨のうち前記複数組みの金種別の設定枚数の硬貨を各組み別に分類すると共に前記複数組みの金種別の設定枚数を超える硬貨を分類して、一時貯留部５２に貯留させる。これにより、入力された複数組みの金種別の設定枚数を、各組み別に分類して出金することができる。従って、複数組みの釣銭準備金を、各組み別に準備することができる。また、始めに、釣銭準備金データを最低６組み分入力しておけば、硬貨枚数に不足がなければ、一度に同時に最大６組み分の釣銭を準備できる。
【０１０２】
以上の第２実施形態を以下の変形例５〜９のように変更することができる。
【０１０３】
［変形例５］
操作表示部２８への操作により入力される釣銭準備金を構成する金種別の設定枚数の複数組みを、事前にパターン登録しておいて、複数組みのパターンの選択で入力するようにしても良い。また、登録パターンの選択と、都度入力とを組み合わせても良い。
【０１０４】
［変形例６］
通常モード時において、汚損硬貨が最も識別部３５とは反対側の収納箱８１ｇに収納され、正常硬貨が収納箱８１ａ〜８１ｆに収納されるようにしても良い。
【０１０５】
［変形例７］
第１実施形態と同様に、汚損硬貨の代わりに、１円、５円、１０円、５０円、１００円、５００円の中から指定された何れかの硬貨が特定種の硬貨として収納されるようにしても良い。
【０１０６】
［変形例８］
釣銭準備金作成第３モードにおいて、識別部３５側（機体前側）の収納箱８１ｂから順に釣銭準備金が作成されることに限定されるものではなく、例えば識別部３５とは反対側（機体後側）の収納箱８１ｇから順に釣銭準備金が作成されるようにしても良い。
【０１０７】
［変形例９］
収納箱８１ａ〜８１ｇの入金機本体１１からの取り出し構造が、収納部１４の入金機本体１１からの引き出し後に、収納引出部８２から収納箱８１ａ〜８１ｇを上方又は側方へ取り出すものではなく、収納箱８１ａ〜８１ｇの配列方向とは直交する側方すなわち左方又は右方に取り出す構造としても良い（特公昭６２−５２３５４号公報、実公平３−５９６５号公報のようなタイプの装置）。この場合、釣銭準備金作成第３モードにおいて、収納箱８１ｂ〜８１ｇに釣銭準備金が全て収納されるのを待つことなく、例えば、ランプ等で指示することで、釣銭準備金を収納し終わった収納箱を入金機本体１１から取り出すことが可能となる。すなわち、上記制御例であれば、時間の経過と共に、収納箱８１ｂから順番に、釣銭準備金が収納されるので、該当する収納箱の取り出し可能なランプが点灯することで、釣銭準備金の作成毎に、収納箱を取り出すことができる。これが可能となることで、例えば、１２回分の釣銭準備金データを入力し、元となる硬貨の枚数に余裕があれば、収納箱８１ｂに収納、収納箱８１ｃに収納、・・・、収納箱８１ｇに収納し、収納箱８１ｂの収納硬貨がなくなっていること、或いは収納箱８１ｂの取り出し及び装填が確認されて、収納箱８１ｂの釣銭準備金が既に回収されていれば、収納箱８１ｂに２回目を収納し、同様に、収納箱８１ｃの釣銭準備金が既に回収されていれば収納箱８１ｃに２回目を収納、・・・、収納箱８１ｇに２回目を収納する。
【０１０８】
第１，第２実施形態を以下の変形例１０のように変更することができる。
【０１０９】
［変形例１０］
釣銭準備金作成処理における一時貯留部５２からの硬貨の収納先を返却箱１３とする。その場合、釣銭準備金作成処理時には、返却箱１３の返却区分部９１ａ〜９１ｇが必ず必要になる。更に、釣銭準備金を、収納部１４に収納するのか、返却箱１３に収納するのかを、使用者が設定できるようにしても良く、制御部２７が釣銭準備金の量に応じて自動的に設定するようにしても良い。返却箱１３の返却区分部９１ａ〜９１ｇを区画する壁を取り外し可能とし、釣銭準備金作成処理時に返却箱１３に取り付けて返却区分部９１ａ〜９１ｇを形成するようにしても良い。
【０１１０】
釣銭準備金作成処理における一時貯留部５２からの硬貨の収納先を返却箱１３とすれば、釣銭準備金を作成する際には、金種別の設定枚数が入力されると、振分部５１は、識別部３５の識別結果に基づいて、入金口２１に投入された硬貨のうち前記金種別の設定枚数の硬貨を、前記金種別の設定枚数を超える硬貨と分類して一時貯留部５２に貯留させ、一時貯留部５２は、前記金種別の設定枚数の硬貨を一時貯留すると、一時貯留している硬貨を分類状態のまま返却箱１３に収納させる。これにより、入力された前記金種別の設定枚数の硬貨を、前記金種別の設定枚数を超える硬貨と分離して、返却箱１３に収納させることができ、返却箱１３から前記金種別の設定枚数の硬貨を取り出して釣銭準備金とすることができる。このように、通常モードでは汚損硬貨が収納される返却区分部９１ａを含む返却箱１３を有効利用して、釣銭準備専用の機構を設けること無しに、釣銭準備金を作成することができる。従って、釣銭準備専用の機構を設けた場合と比較して、部品点数を低減し、コストの増加及び装置の大型化を抑制することができ、釣銭準備金の準備のための負担を低減することができる。釣銭準備金作成第１モードでは、一時貯留部５２が、前記金種別の設定枚数を超える硬貨を、通常モードにおいては汚損硬貨が収納される返却箱１３の返却区分部９１ａに収納させるため、通常モードにおいて汚損硬貨が収納される返却箱１３の返却区分部９１ａを有効利用することができる。また、釣銭準備金作成第２モードでは、一時貯留部５２が、前記金種別の設定枚数の硬貨を、通常モードにおいては汚損硬貨が収納される返却箱１３の返却区分部９１ａに収納させるため、通常モードにおいて汚損硬貨が収納される返却箱１３の返却区分部９１ａを有効利用することができる。
【０１１１】
［変形例１１］
釣銭準備金作成第２モード及び前記変形例１０のように、金種別の設定枚数の硬貨を通常モードにおいては汚損硬貨が収納される収納部１４の収納箱８１ａ又は返却部１３の返却区分部９１ａに収納させて釣銭準備金を作成する場合において、１円、５０円、５円、１００円、１０円、５００円等の６金種を収納部１４の収納箱８１ａ又は返却部１３の返却区分部９１ａに収納させて、釣銭準備金を１回で作成することに加え、１又は複数金種ずつ収納部１４の収納箱８１ａ又は返却部１３の返却区分部９１ａに収納させて、釣銭準備金を複数回に分けて作成するようにしてもよい。これにより、釣銭準備金を金種別に分けた状態で得ることができる。
【符号の説明】
【０１１２】
１０…硬貨入金機、１３…返却箱（返却部）、１４…収納部、３５…識別部、５１…振分部、５２…一時貯留部。
【図１】
2018106273.tif 000003
【図２】
2018106273.tif 000004
【図３】
2018106273.tif 000005
【図４】
2018106273.tif 000006
【図５】
2018106273.tif 000007
【図６】
2018106273.tif 000008
【図７】
2018106273.tif 000009
【図８】
2018106273.tif 000010
【図９】
2018106273.tif 000011